(57)【要約】      （修正有）【課題】簡易な構造で、揮散マットの上下方向の移動を許容しつつ、芳香・消臭剤の液吸芯から揮散マット側への移動を確実とする芳香・消臭剤用容器を提供する。【解決手段】液状の芳香剤又は／及び芳香剤を収容する本体部と、本体部の上部に位置し、揮散マット１４０を備えたカバー部とを有してなる。揮散マット１４０が、カバー部の天井面１５０ａから単一の支柱部１６１と梁部１６２からなるＬ字型部材で支持されている。【選択図】図４
0003164113.tif 000002
【実用新案登録請求の範囲】
【請求項１】
液状の芳香剤又は／及び消臭剤を収容する本体部と、当該本体部の上部に位置し、揮散マットを備えたカバー部とを有してなる芳香・消臭剤用容器であって、
前記揮散マットが、前記カバー部の天井面から単一のＬ字型部材で支持されている
ことを特徴とする芳香・消臭剤用容器。
【請求項２】
請求項１において、
前記Ｌ字型部材は、前記天井面から垂設された支柱部と、当該支柱部の下端から水平方向に延在する梁部とからなる
ことを特徴とする芳香・消臭剤用容器。
【請求項３】
請求項２において、
前記梁部の少なくとも一部が薄肉に形成され、当該薄肉の部分を中心に前記梁部が揺動可能とされている
ことを特徴とする芳香・消臭剤用容器。
【請求項４】
請求項２または３において、
前記揮散マットが、前記梁部の下面から突出したピン部材に刺設保持されている
ことを特徴とする芳香・消臭剤用容器。
【請求項５】
請求項２または３において、
前記揮散マットが、先記梁部の上面に載置されると共に、前記梁部には前記本体部側に備わる液吸芯が貫通可能な貫通孔が形成されている
ことを特徴とする芳香・消臭剤用容器。
【請求項６】
請求項５において、
前記梁部及び前記支柱部に、前記揮散マットを上方から把持する把持爪が形成されている
ことを特徴とする芳香・消臭剤用容器。
【考案の詳細な説明】
【技術分野】
【０００１】
本考案は、台所やトイレ、玄関などで使用する芳香剤や消臭剤を収容するための容器に関する。
【背景技術】
【０００２】
例えば、特許文献１のような芳香・消臭剤用容器が知られている。この容器は主として、液状の芳香剤又は／及び消臭剤（以下単に「芳香・消臭剤」という。）を収容する本体部と、当該本体部の上部に嵌着するカバー部とからなる。この芳香・消臭剤用容器では、本体部略中央に上下方向に設置された液吸芯で芳香・消臭剤を吸い上げると共に、当該吸い上げた芳香・消臭剤をカバー部側に設置された揮散マットを介して大気に揮散させる。
【０００３】
流通過程などにおいては、芳香・消臭剤が入った本体部にはキャップが取り付けられている。一方、使用時には当該キャップが取り外されカバー部と組み合わせて使用される。そのため揮散マットは固定されておらず、上下方向にフリーな状態で設置されている。
【先行技術文献】
【特許文献】
【０００４】
【特許文献１】特開２００１−２２５８８４号公報
【考案の概要】
【考案が解決しようとする課題】
【０００５】
しかしながら、単に揮散マットを上下にフリーとするのみでは、揮散マットと液吸芯の上端面との密着が不十分となり、液吸芯で吸い上げた芳香・消臭剤を揮散マット側に確実に移動できない場合がある。また揮散マットの位置を規制するために複雑な構造の支持枠を設けた場合、コスト高になるといった問題もある。
【０００６】
本考案は、これらの問題点を解決するべくなされたものである。
【課題を解決するための手段】
【０００７】
上記課題を解消するべく、請求項１に記載の本考案は、液状の芳香剤又は／及び消臭剤を収容する本体部と、当該本体部の上部に位置し、揮散マットを備えたカバー部とを有してなる芳香・消臭剤用容器であって、前記揮散マットが、前記カバー部の天井面から単一のＬ字型部材で支持されていることを特徴とする。
【０００８】
また請求項２に記載の本考案は、請求項１の考案に加えて、前記Ｌ字型部材は、前記天井面から垂設された支柱部と、当該支柱部の下端から水平方向に延在する梁部とからなることを特徴とする。
【０００９】
また請求項３に記載の本考案は、請求項２の考案に加えて、前記梁部の少なくとも一部が薄肉に形成され、当該薄肉の部分を中心に前記梁部が揺動可能とされていることを特徴とする。
【００１０】
また請求項４に記載の本考案は、請求項２又は３の考案に加えて、前記揮散マットが、前記梁部の下面から突出したピン部材に刺設保持されていることを特徴とする。
【００１１】
また請求項５に記載の本考案は、請求項２または３の考案に加えて、前記揮散マットが、先記梁部の上面に載置されると共に、前記梁部には前記本体部側に備わる液吸芯が貫通可能な貫通孔が形成されていることを特徴とする。
【００１２】
また請求項６に記載の本考案は、請求項５に記載の考案に加えて、前記梁部及び前記支柱部に、前記揮散マットを上方から把持する把持爪が形成されていることを特徴とする。
【００１３】
本考案により、簡易な構造でありながらも、揮散マットの上下方向の移動を許容すると共に、揮散マットを液吸芯の上端面に押し付けることができるので揮散マットへの芳香・消臭剤の移動が確実となる。
【図面の簡単な説明】
【００１４】
【図１】本考案に係る芳香・消臭剤用容器の斜視図である。
【図２】同分解組立て図である。
【図３】同側面図である。
【図４】図３におけるＡ−Ａ線に沿う断面図であって、本体部とカバー部を分離した状態を示した図である。
【図５】図３におけるＡ−Ａ線に沿う断面図であって、本体部とカバー部を結合した状態を示した図である。
【図６】Ｌ字部材の第２実施例を示した図であって、（ａ）がカバー部上方からの斜視図、（ｂ）がＢ−Ｂ線に沿う断面図である。
【考案を実施するための形態】
【００１５】
以下、添付図面を参照しつつ、本考案の実施形態の一例につき詳細に説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１６】
〈芳香・消臭剤用容器の構成〉
消臭・芳香剤用容器１００は、液状の芳香・消臭剤（図示していない）が収容される本体部１０２と、当該本体部１０２の上方に嵌着するカバー部１０４とを有してなる（図１、図３参照）。
【００１７】
本体部１０２は、芳香・消臭剤が収容されるボトル１１０と、当該ボトル１１０内の芳香・消臭剤を吸い上げる液吸芯１３０と、当該液吸芯１３０をボトル１１０のボトル口１１５の中心位置に保持固定する液吸芯支持枠１２０とからなる。なお使用前の流通等の段階では、ボトル口１１５にはネジ部１１４を利用してボトルキャップ（図示していない）が取り付けられるが、ここでは割愛する。
【００１８】
ボトル１１０は透明な樹脂で一体成形されており、平面視略小判型の有底筒である。上部には胴体部より細口となるようにボトル口１１５が形成され、当該ボトル口１１５の周りにネジ部１１４が形成されている。また、ボトル１１０の肩部分にはカバー部１０４を嵌着固定するための嵌合溝１１３が全周に渡って形成されている。
【００１９】
液吸芯支持枠１２０は、丁度ボトル口１１５に圧入できる大きさとされた独楽状の部材である。中心に液吸芯１３０を貫通させて支持できる中空のスリーブ１２１を備える。当該スリーブ１２１は外枠からテーパ部１２３を介して支持されている。また、外枠の上方外周には全周に渡って張出部１２２が形成されており、当該張出部１２２がボトル口１１５の上端面に当接することで位置決めされる。
【００２０】
液吸芯１３０は、細長い円柱形状を成し、外周が樹脂製の保護膜１３１で覆われていて、内部は芳香・消臭剤を浸透圧によって吸い上げることができる素材（例えばフェルト素材など）が充填されている。この液吸芯１３０は液吸芯支持枠１２０を介してボトル１１０（ボトル口１１５）の略中心に保持固定される。なお、ボトル１１０底面の略中心には底面凹部１１２が形成されており、当該底面凹部１１２の位置に丁度液吸芯１３０の下端が配置される。更に、底面凹部１１２の周囲には底面凸部１１１が複雑に形成されていて、ボトル１１０内の芳香・消臭剤を無駄なく液吸芯１３０へと導くことができるような構成とされている。
【００２１】
このような部材を組合わせることで、液吸芯１３０はボトル１１０の中心に保持されると共に、液吸芯１３０の上端面がボトル口１１５よりも高い位置となるような構成とされている。
【００２２】
一方カバー部１０４は、半透明な樹脂で一体成形された化粧カバー１５０と、当該化粧カバー１５０の内側に配置された揮散マット１４０と、当該揮散マット１４０を化粧カバーの天井面１５０ａから保持する１つのＬ字型部材１６０とを有してなる。
【００２３】
化粧カバー１５０は、平面視略小判型の有底筒を上下反転させた基本形状を成し、下方はそのまま開口している。側面外周には規則的に縦長の拡散用側面孔１５１が複数形成されている。また天井面１５０ａの略中心には矩形の１つの拡散用天井面孔１５２が形成されている。また、化粧カバー１５０の内周面下端近傍には、当該内周面の全周に渡って嵌合凸条１５３が形成されている。
【００２４】
化粧カバー１５０の天井面１５０ａにはＬ字型部材１６０が固定されている。当該Ｌ字型部材１６０は、化粧カバー１５０と樹脂による一体成形であってもよいし、別部材が接着固定されていてもよい。Ｌ字型部材１６０は、化粧カバー１５０の天井面１５０ａから垂設された扁平な支柱部１６１と当該支柱部１６１の下端から水平方向に延在した扁平な梁部１６２とを有してなる。当該梁部１６２の下面には、２つのピン部材１６３が突出形成されている。また、梁部１６２における支柱部１６１側の一部が薄肉とされて薄肉部１６４が形成されている。当該薄肉部１６４の存在によって、梁部１６２は当該薄肉部１６４を中心にして揺動可能に構成されている。
【００２５】
揮散マット１４０は、芳香・消臭材を一定量吸収保持できる素材（例えばフェルト素材）で扁平且つ矩形に形成されている。この揮散マット１４０には、前述したピン部材１６３を差し込むための２つの差込孔１４１が形成されていて、これを利用して揮散マット１４０が梁部１６２の下面側に配置固定されている。
【００２６】
〈芳香・消臭剤用容器の作用・機能〉
使用するに際して、一旦カバー部１０４を本体部１０２から取り外し、開口部１１５に備わっているボトルキャップ（図示していない）を取り外す。ボトルキャップを取り外すと、液吸芯１３０（の上端面）が露出してくる。この状態で再度カバー部１０４を取り付ける。当該取り付けは、化粧カバー１５０の嵌合凸条１５３がボトル１１０肩部の嵌合溝１１３に嵌合することによって完了する。この嵌合が終了すると、液吸芯１３０の上端面は、揮散マット１４０の下面に当接する。
【００２７】
揮散マット１４０はＬ字型部材１６０によって化粧カバー１５０の天井面１５０ａから支持されているので、液吸芯１３０の上端面が当接すると、その当接する圧力に応じて上方（天井面１５０ａ側）へと揺動する。この揺動は、梁部１６２に設けられた薄肉部１６４を中心として行われる。即ち、揮散マット１４０がわずかに傾いて（角度θ）保持される（図５参照）。一方で、このＬ字型部材１６０自身が有する剛性によって、揮散マット１４０は下方に一定の圧力で押圧される。その結果、液吸芯１３０の上端面と揮散マット１４０の下面とは一定の圧力で密着する。この密着により、液吸芯１３０を伝って吸い上げられてきた芳香・消臭剤を確実に揮散マット１４０側へと伝えることが可能となっている。
【００２８】
また、揮散マット１４０は、Ｌ字型部材１６０によって上下方向に揺動可能とされているので、製造過程において液吸芯１３０の長さに誤差が生じた場合でも当該誤差を問題なく吸収することができる。
【００２９】
また、上記のように、単一のＬ字型部材１６０で揮散マット１４０を支持しているので、構造が単純であり、製造する際のコストも低廉となる。
【００３０】
〈その他の実施形態〉
また、Ｌ字型部材の構成は上記に限らず、例えば、図６に示したような構成としてもよい。なお以下では同一又は類似する部分については数字下２桁が同一の符号を付するに留め、重複した説明は省略する。
【００３１】
第２実施例としてのＬ字型部材２６０は、梁部２６２の上面側に揮散マット２４０が載置される。これに伴い、梁部２６２の略中央には液吸芯２３０を貫通させるための貫通孔２６７が形成されている。また、載置した揮散マット２４０を把持固定するための把持爪（第１把持爪２６５、第２把持爪２６６）が形成されている。第１把持爪２６５は梁部２６２の延在側先端に形成されている。一方、第２把持爪２６６は支柱部２６１の途中に形成されている。このような構成を採用したことで、揮散マット２４０上下から把持し、より確実な固定を実現することができる。
【符号の説明】
【００３２】
１００…芳香・消臭剤用容器
１０２…本体部
１０４…カバー部
１１０…ボトル
１１１…底面凸部
１１２…底面凹部
１１３…嵌合溝
１１４…ネジ部
１１５…ボトル口
１２０…液吸芯支持枠
１２１…スリーブ
１２２…張出部
１２３…テーパ部
１３０…液吸芯
１３１…保護膜
１３２…芯材
１４０…揮散マット
１４１…差込孔
１５０…化粧カバー
１５０ａ…天井面
１５１…拡散用側面孔
１５２…拡散用天井面孔
１５３…嵌合凸条
１６０…Ｌ字型部材
１６１…支柱部
１６２…梁部
１６３…ピン部材
１６４…薄肉部
【図１】
0003164113.tif 000003
【図２】
0003164113.tif 000004
【図３】
0003164113.tif 000005
【図４】
0003164113.tif 000006
【図５】
0003164113.tif 000007
【図６】
0003164113.tif 000008